(57)【要約】  シェーバが提供され、このシェーバは、細長いハンドグリップ部および組み付け部を備えたハンドルと、シェーバヘッドであって、シェーバヘッドは組み付け部に取り付けられたシェーバヘッドと、を具備し、シェーバヘッドは底壁を備えている。取り外し可能なカートリッジは、シェーバヘッドに設けられた取付要素を介して、シェーバヘッドに取り付けられている。放出バネは、カートリッジがシェーバヘッドから取り外される場合に、カートリッジをシェーバヘッドから離すように放出力を提供する。
2016500313.tif 000002
【特許請求の範囲】
【請求項１】
細長いハンドグリップ部および組み付け部（２２）を備えたハンドル（２０）と、
シェーバヘッド（４０）であって、該シェーバヘッド(４０)は前記組み付け部（２２）に取り付けられたシェーバヘッド（４０）と、
取り外し可能なカートリッジ（６０）であって、該カートリッジ（６０）は少なくとも１つの刃（６３）を具備し、前記カートリッジ（６０）は前記シェーバヘッド（４０）に取り付けられ、且つ前記シェーバヘッド（４０）から取り外されるように形成されたカートリッジ（６０）と、
該カートリッジ（６０）をスナップ式取付によって前記シェーバヘッド（４０）に取り付けるように形成された取付要素（４５Ａ）と、
前記シェーバヘッド（４０）に設けられた少なくとも１つの放出バネ（４５Ｃ）と、を具備したシェーバにおいて、
前記放出バネ（４５Ｃ）は、前記カートリッジが前記シェーバヘッド（４０）から取り外される場合に、前記カートリッジを前記シェーバヘッド（４０）から離すような放出力を提供することを特徴とするシェーバ。
【請求項２】
前記シェーバヘッド（４０）は、前記組み付け部（２２）に回転可能に取り付けられていることを特徴とする請求項１に記載のシェーバ。
【請求項３】
前記シェーバヘッド（４０）は、シェービングの方向において前記少なくとも１つの刃の正面に配置された底壁（４６）をさらに具備し、前記放出バネ（４５Ｃ）は前記底壁（４６）に取り付けられていることを特徴とする請求項１または２に記載のシェーバ。
【請求項４】
前記カートリッジ（６０）は、シェービングの方向に平行な方向に放出されることを特徴とする請求項１〜３のいずれか一項に記載のシェーバ。
【請求項５】
前記シェーバヘッド（４０）は、シェービングの方向において前記に少なくとも１つの刃の正面に配置された底壁（４６）、側壁（４２）、およびバネ（４５）をさらに具備し、前記バネ（４５）は、
前記シェーバヘッド（４０）の底壁（４６）に隣接して配置された保持部（４５Ｄ）であって、該保持部（４５Ｄ）は前記バネ（４５）を前記シェーバヘッドに取り付けるように形成された保持部（４５Ｄ）と、
対称に配置された一対の放出バネ（４５Ｃ）であって、該放出バネは弾性ウィングとして設けられ、該弾性ウィングは前記保持部（４５Ｄ）から前記側壁（４２）に向かう方向において延びた放出バネ（４５Ｃ）と、を具備していることを特徴とする請求項１〜４のいずれか一項に記載のシェーバ。
【請求項６】
各前記ウィング（４５Ｃ）は、曲げ部（４５Ｅ）において終端となっていることを特徴とする請求項５に記載のシェーバ。
【請求項７】
前記放出バネ（４５Ｃ）は金属製であることを特徴とする請求項１〜６のいずれか一項に記載のシェーバ。
【請求項８】
前記取付要素（４５Ａ）および前記放出バネ（４５Ｃ）は、同じ弾性金属部に属し、該金属部は、前記取付要素（４５Ａ）を前記少なくとも１つの放出バネ（４５Ｃ）に接続した弾性本体（４５Ｂ）をさらに具備していることを特徴とする請求項１〜７のいずれか一項に記載のシェーバ。
【請求項９】
前記シェーバヘッド（４０）は、底壁（４６）であって、該底壁はシェービングの方向において前記少なくとも１つの刃の正面に配置された底壁（４６）と、保護部材であって、該保護部材は前記底壁（４６）に隣接して配置された保護部材と、をさらに具備していることを特徴とする請求項１〜８のいずれか一項に記載のシェーバ。
【請求項１０】
前記ハンドル（２０）はスライド可能なボタン（３０）をさらに具備し、該ボタンはプッシャ（３１）を具備し、該プッシャ（３１）は、前記バネ（４５）の弾性本体（４５Ｂ）に接触して、それにより前記カートリッジ（６０）を解放するように形成されていることを特徴とする請求項１〜９のいずれか一項に記載のシェーバ。
【請求項１１】
前記カートリッジ（６０）はホルダ（６５）を具備し、前記取付要素（４５Ａ）および前記ホルダ（６５）は、前記カートリッジ（６０）を前記シェーバヘッド（４０）に取り付けるように協働することを特徴とする請求項１〜１０のいずれか一項に記載のシェーバ。
【請求項１２】
前記シェーバヘッドは側壁（４２）をさらに具備し、該側壁（４２）はガイドトラック（４２Ａ）を具備し、前記カートリッジは側壁（６２）を具備し、該側壁はガイドトラック（６２Ａ）を具備し、前記カートリッジのガイドトラック（６２Ａ）は、前記シェーバヘッド（４０）のガイドトラック（４２Ａ）と協働することを特徴とする請求項１〜１１のいずれか一項に記載のシェーバ。
【請求項１３】
請求項１〜１１のいずれか一項に記載のシェーバとともに使用されるカートリッジであって、該カートリッジ（６０）はホルダ（６５）を具備し、該ホルダ（６５）は全体的にフック形状であることを特徴とするカートリッジ。
【請求項１４】
少なくとも１つの刃を具備し、該少なくとも１つの刃（６３）は移動可能に組み付けられていることを特徴とする請求項１３に記載のカートリッジ。
【請求項１５】
前記カートリッジ（６０）は、頂壁（６１）およびシェービング補助剤（６１Ａ）をさらに具備し、該シェービング補助剤（６１Ａ）は前記頂壁（６１）内に配置されていることを特徴とする請求項１３または１４に記載のカートリッジ。
【請求項１６】
請求項１〜１２のいずれか一項に記載のシェーバのためのヘッドおよびハンドルのアセンブリであって、該ヘッドおよびハンドルのアセンブリは、
細長いハンドグリップ部および組み付け部（２２）を備えたハンドル（２０）と、
シェーバヘッド（４０）であって、該シェーバヘッド(４０)は前記組み付け部（２２）に取り付けられており、前記シェーバヘッド（４０）はカートリッジ（６０）を受容するように形成されたシェーバヘッド（４０）と、
前記カートリッジ（６０）をスナップ式取付によって前記シェーバヘッド（４０）に取り付けるように形成された取付要素（４５Ａ）と、
前記シェーバヘッド（４０）に設けられた放出バネ（４５Ｃ）と、を具備し、
前記放出バネ（４５Ｃ）は、前記カートリッジ（６０）が前記シェーバヘッド（４０）から取り外される場合に、前記カートリッジ（６０）を前記シェーバヘッド（４０）から離すような放出力を提供することを特徴とするヘッドおよびハンドルのアセンブリ。
【発明の詳細な説明】
【技術分野】
【０００１】
本発明は、互換性のあるカートリッジを備えたシェーバ、ならびにそのようなシェーバのためのカートリッジ、ヘッド、およびハンドルのアセンブリに関する。
【０００２】
より詳細には、本発明は、
シェーバヘッドの保持のための組み付け部内において終端となった細長い本体を備えたハンドルと、
交換可能なシェービングカートリッジを収容するように形成されたシェーバヘッドと、
交換可能なシェービングカートリッジがシェーバヘッドに搭載およびシェーバヘッドから取り出されることを可能にした、係止および解放機構と、
１つ以上の刃を含んだ交換可能なカートリッジと、を具備したシェーバに関する。
【背景技術】
【０００３】
そのようなシェーバは、１つまたは複数の刃が摩耗したときに、使用者がカートリッジを交換することが可能であり、一方でハンドルおよびシェーバヘッドは維持され且つ再使用されることが可能である。
【先行技術文献】
【特許文献】
【０００４】
【特許文献１】欧州特許出願公開第２  １９５  １４５号明細書
【発明の概要】
【発明が解決しようとする課題】
【０００５】
例えば特許文献１に記載されたような、交換可能なブレードカートリッジのシェーバヘッドからの取り外しは、通常は使用者がカートリッジを押しまたは引いて、実際にカートリッジを移動させる必要がある。このことは、カートリッジの交換のために、使用者は使用者の指によってカートリッジに触れる必要があることを意味している。したがって、使用者が負傷する危険性が増大する。
【課題を解決するための手段】
【０００６】
この目的のために、シェーバが提供され、このシェーバは、細長いハンドグリップ部および組み付け部を備えたハンドルと、シェーバヘッドであって、組み付け部に取り付けられ、且つ底壁を備えたシェーバヘッドと、取り外し可能なカートリッジであって、カートリッジは少なくとも１つの刃を具備し、カートリッジはシェーバヘッドに取り付けられ、およびシェーバヘッドから取り外されるように形成されたカートリッジと、カートリッジをシェーバヘッドに取り付けるように形成された取付要素と、シェーバヘッドに設けられたバネと、を具備し、バネは、カートリッジがシェーバヘッドから取り外される場合に、カートリッジをシェーバヘッドから離すような放出力を提供する。
【０００７】
これらの特徴とともに、カートリッジがシェーバヘッドから取り外される場合、カートリッジはシェーバヘッドからより容易に放出される。使用者はカートリッジを押すまたは引く必要が無く、使用者の負傷の危険性は低下されている。さらに、刃が摩耗した場合、シェーバヘッド全体の交換の代わりにカートリッジのみが交換されるので、そのようなシェーバのコストは低く維持される。実際のところ、刃のみが毎回変更されて、カートリッジが交換される。したがって、例えば潤滑ストリップまたはラバーガードバーのようなヘッドの追加の特徴は、維持され且つ再利用され得る。さらに、カートリッジのみが交換される場合、交換される（および廃棄される）材料の量が減少するため、シェーバは容易に製造され且つより環境に良好である。
【０００８】
ある実施形態においては、以下の特徴の１つ以上を使用してもよい。
シェーバヘッドは、シェーバヘッドに回転可能に取り付けられ得る。
シェーバヘッドは、シェービングの方向において少なくとも１つの刃の正面に配置された底壁をさらに具備し、放出バネは、底壁に取り付けられている。
カートリッジは、シェービングの方向に平行な方向に放出される。
シェーバヘッドは、シェービングの方向においてに少なくとも１つの刃の正面に配置された底壁、側壁、およびバネをさらに具備し、バネは、シェーバヘッドの底壁に隣接して配置された保持部であって、保持部はバネをシェーバヘッドに取り付けるように形成された保持部と、対称に配置された一対の放出バネであって、放出バネは弾性ウィングとして設けられ、弾性ウィングは保持部から側壁に向かう方向において延びた放出バネと、を具備している。
各ウィングは、曲げ部において終端となっている。
バネは金属製である。
取付要素および放出バネは、同じ弾性金属部に属し、金属部は、取付要素を少なくとも１つの放出バネに接続した弾性本体をさらに具備している。
取付要素とバネとは一部品の本体として形成され、取付要素とバネとは弾性本体を介して接続されており、弾性本体は、シェーバヘッドの底壁から離れる方向において、バネの保持部から延びている。
シェーバヘッドは、底壁であって、底壁はシェービングの方向において少なくとも１つの刃の正面に配置された底壁と、保護部材であって、保護部材は底壁に隣接して配置された保護部材と、をさらに具備している。
ハンドルはスライド可能なボタンをさらに具備し、ボタンはプッシャを具備し、プッシャは、バネの弾性本体に接触して、それによりカートリッジを解放するように形成されている。
カートリッジはホルダを具備し、取付要素およびホルダは、カートリッジをシェーバヘッドに取り付けるように協働する。
シェーバヘッドは側壁をさらに具備し、側壁はガイドトラックを具備してもよく、カートリッジは側壁をさらに具備してもよく、側壁はガイドトラックを具備し、カートリッジのガイドトラックは、シェーバヘッドのガイドトラックと協働してもよい。
【０００９】
本発明の別の態様においては、カートリッジが設けられ、カートリッジはホルダを具備し、ホルダは全体的にフック形状を有する。
【００１０】
以下の特徴の１つ以上が使用されてもよい。
カートリッジは少なくとも１つの刃を具備し、少なくとも１つの刃は移動可能に組み付けられている。
カートリッジは、頂壁およびシェービング補助剤をさらに具備し、シェービング補助剤は頂壁内に配置されている。
【００１１】
本発明の別の態様においては、前述のようなシェーバのためのヘッドおよびハンドルのアセンブリが提供されてもよく、このアセンブリは、細長いハンドグリップ部および組み付け部を備えたハンドルと、シェーバヘッドであって、カートリッジを受容するように形成され、組み付け部に取り付けられたシェーバヘッドと、シェーバヘッドに設けられた放出バネと、カートリッジをシェーバヘッドに取り付けるように形成された取付要素と、を具備し、放出バネは、カートリッジがシェーバヘッドから取り外される場合に、カートリッジをシェーバヘッドから離すような放出力を提供する。
【００１２】
アセンブリのある実施形態においては、以下の特徴の１つ以上が使用されてもよい。
シェーバヘッドは、組み付け部に回転可能に取り付けられてもよい。
シェーバヘッドは底壁をさらに具備し、バネは底壁に取り付けられている。
カートリッジは、シェービングの方向に平行な方向において放出される。
シェーバヘッドは、底壁および側壁をさらに具備し、バネは、シェーバヘッドの底壁に隣接して配置された保持部を具備し、保持部はバネをシェーバヘッドに取り付けるように形成され、対称に配置された一対の弾性ウィングである弾性ウィングは、側壁に向かった方向において、保持部から延びている。
各ウィングは、曲げ部において終端となっている。
バネは金属製である。
取付要素は弾性本体をさらに具備し、取付要素はシェーバヘッドの一部として設けられている。
取付要素はプラスチック製である。
取付要素とバネとは一部品の本体として形成され、取付要素とバネとは弾性本体を介して接続されている。
取付要素とバネとは一部品の本体として形成され、取付要素とバネとは弾性本体を介して接続されており、弾性本体は、シェーバヘッドの底壁から離れる方向において、バネの保持部から延びている。
シェーバヘッドは、底壁とガード部材とを具備し、ガード部材は底壁に隣接して配置されている。
【００１３】
本発明の他の特徴および利点は、非限定的な実施例として提供され且つ添付図に示された、その実施形態の１つの以下の記載から容易に明確になるだろう。
【図面の簡単な説明】
【００１４】
【図１ａ】後側からシェーバ全体を示した図である。
【図１ｂ】前側からシェーバ全体を示した図である。
【図１ｃ】シェーバの線Ｉｃに沿った断面を示した図である。
【図２ａ】ハンドルの前部を示した図である。
【図２ｂ】カムフォロアおよびバネを備えたハンドルの前部を示した図である。
【図３】カートリッジおよびカートリッジ挿入の際のシェーバヘッドを示した前面図である。
【図４ａ】後側から見た、カートリッジの無いシェーバヘッドを示した図である。
【図４ｂ】シェーバヘッドの詳細を示した図である。
【図５ａ】カートリッジの後側を示した図である。
【図５ｂ】線Ｖｂに沿ったカートリッジの断面を示した図である。
【図６ａ】バネの全体を示した図である。
【図６ｂ】バネの側面を示した図である。
【図６ｃ】バネの前側を示した図である。
【図７ａ】ボタンの頂部側を示した図である。
【図７ｂ】ボタンの側面を示した図である。
【図７ｃ】ボタンの全体を示した図である。
【発明を実施するための形態】
【００１５】
異なった図において、同一の参照符号は同様のまたは類似の要素を示している。
【００１６】
図１ａ〜図１ｃは、本発明によるシェーバの実施例を示している。シェーバはハンドル２０、シェーバヘッド４０、および１つ以上の刃６３を収容したカートリッジ６０を具備している。図示された実施例においては、４つの刃が存在している。しかしながら、カートリッジはより多いまたはより少ない刃を使用してもよい。
【００１７】
カートリッジ（図３、図５ａおよび図５ｂ）６０は、頂壁６１、２つの側壁６２、底壁６７、および背面構造（図５ａに詳細に示されている）を備えたフレームとして形成されている。頂壁６１および底壁６７は、側壁６２によって延長され且つ接続されている。カートリッジ６０のフレームは、プラスチック材料から成型されてもよく、好適にフレームは一部品である。刃６３は側壁６２の間において延びており、頂壁６１および底壁６７に平行である。刃６３は曲げられたシート金属から形成されてもよく、または好適にそれらは直線状であり、且つ刃支持部６３Ａに支持されてもよい。次いで、刃６３および／または刃支持部６３Ａは、側壁６２に設けられたシート６３Ｂ内に収容されている。さらに、刃は例えば移動可能に配置されてもよい。側壁６２には、刃６３に平行な方向に、カートリッジフレームの内側に向かって延び且つ刃６３を移動可能に支持した、弾性指６４が設けられてもよい。刃６３は、一対の曲げられた金属ストリップ６６によってカートリッジ内に保持されてもよく、そのストリップは刃６３の端部を取り囲み、これにより刃を所定の位置に保持してもよい。刃の数は例えば４つとし得る。頂壁６１において、刃端縁によって形成された面内に全体的に位置するように、シェービング補助剤６１Ａが設けられてもよい。他の実施形態においては、刃は固定されてもよい。
【００１８】
ハンドル２０は細長いハンドグリップ部(図示略)を備え、そのグリップ部には、使用者のグリップを補強する特徴、およびリブ、ペグ、エラストマ部またはそれらに類似したような滑り防止補助の特徴が設けられてもよい。ハンドル２０は、プラスチック材料から好適に成型されている。ハンドル２０は、図２に示されたように、ハンドルから延びた２つのヨーク２１において終端となっている。ヨーク２１は組み付け部において終端となり、組み付け部はシェルベアリング２２の形状で提供されている。次いで、シェルベアリング２２は、シェーバヘッド４０に設けられた相補的な凹部４１と協働してもよい。シェルベアリング２２および相補的な凹部４１は一体となって、シェーバヘッド４０が刃６３の長さ方向に平行な軸の周りの回転を可能にしている。それとは異なり、シェルベアリング２２はヒンジ、ピン、または他の回転手段によって置き換えられてもよく、シェーバヘッド４０は任意の回転手段無しに、ハンドル２０に取り付けられてもよい。ここでは、回転ヘッドのみが記載されている。
【００１９】
ヨーク２１は、ヨーク２１の間に配置されたギャップ２３をさらに形成している。ギャップ２３は、カムフォロア２４を収容している。カムフォロア２４は二股の端部を備え、それらの２つの枝部はシェーバヘッド４０の背面壁４３に設けられた一対の台４３Ａと協働し、それによりシェーバヘッド４０が中立位置に戻されることを可能にしている。カムフォロア２４は、好適に金属製のコイルバネ３６によって作動されている。
【００２０】
シェーバヘッド４０の実施例は、図３、図４ａ、および図４ｂに示されている。シェーバヘッドは前壁４４、背面壁４３、底壁４６、および側壁４２を具備している。前壁４４は、好適にエラストマ材料製の肌係合要素またはガード(図示略)を含んでいてもよい。背面壁４３は、ハンドル２０の端部に配置されたシェルベアリング２２を収容した凹部４１を具備している。背面壁４３上には、カムフォロア２４と協働する一対の台４３Ａも設けられている。
【００２１】
シェーバヘッド４０はシートを形成し、そのシートにはカートリッジ６０が収容されている（そのようなシートの詳細は図４ｂに示されている）。カートリッジ６０は、図３に示されたように、全体的にシェービングの方向において底壁４６の反対側から好適に挿入される。側壁４２は、側壁４２の内側に溝として形成されたガイドトラック４２Ａを含んでいる。カートリッジ６０がシェーバヘッド内に挿入されると、ガイドトラック４２Ａはカートリッジ６０の側壁６２に突起として設けられたガイドトラック６２Ａに接触して、カートリッジ６０はそのシートに案内される。したがって、カートリッジ６０の誤挿入の危険性は低下する。
【００２２】
カートリッジ６０がシェーバヘッド４０内に挿入されると、カートリッジは取付要素４５Ａおよび少なくとも１つの放出バネ４５Ｃに接触する。取付要素４５Ａは、カートリッジ６０をシェーバヘッド４０に取り付けるように形成されている。好適に、取付要素４５Ａは、カートリッジ６０をシェーバヘッド４０にスナップ式取付によって取り付ける。
【００２３】
図示された実施例においては、取付要素４５Ａはバネ４５の一部として設けられている。バネ４５はシェーバヘッド４０の底壁４６内に配置されている。バネは図６ａ〜図６ｃに示されている。取付要素４５Ａは、弾性本体４５Ｂから延びたスナップ式取付部４５Ａの形である。バネ４５は放出バネ４５Ｃをさらに具備してもよい。放出バネ４５Ｃは、対称に配置された一対の弾性ウィング４５Ｃとして好適に設けられている。バネ４５は、バネ４５を所定の位置に保持するように形成された保持部４５Ｄも具備している。図６ｂにおいて、弾性本体４５Ｂは、底壁４６から離れる方向に保持部４５Ｄから延びるように示されている。弾性本体４５Ｂはシェーバヘッド４０の背面壁４３に向かって曲げられ、次いで略Ｃ字状ストリップを形成するように戻されている。弾性本体４５Ｂは、シェーバヘッド４０内に組み込まれた場合、Ｃ字状部がシェーバヘッド４０の一対の台４３Ａの間に突出するように、好適に配置されている。弾性本体４５Ｂの頂部には、シェーバヘッド４０の背面壁４３に向かって曲げられた小ループを形成した、スナップ式取付部４５Ａが設けられている。ウィング４５Ｃは、全体的に側壁４２に向かって、好適に底壁４６に対して１５°よりも大きい角度で保持部４５Ｄから延びている。ウィング４５Ｃの端部４５Ｅの小部分は、底壁４６に向かって曲げられており、それによりカートリッジ６０の底壁６７の挿入を容易にしており、その損傷を回避している。
【００２４】
可能な一実施形態においては、弾性本体４５Ｂと一体となった取付要素４５Ａは、シェーバヘッド４０の一部として設けられている。取付要素４５Ａおよび弾性本体４５Ｂは金属、プラスチック、または弾性を備えた他の適切な材料から形成され得る。取付要素４５Ａおよび弾性本体４５Ｂは、シェーバヘッド４０と一体に成型されて設けられてもよい。次いで、放出バネ４５Ｃは別部品として設けられてもよい。そのような実施例においては、バネ４５Ｃは保持部４５Ｄおよびウィング４５Ｃを具備している。保持部４５Ｄ、ウィング４５Ｃ、ならびにシェーバヘッド４０に関連した保持部４５Ｄおよびウィング４５Ｃの位置は、図示された実施例に類似している。
【００２５】
以下に、取付要素４５Ａおよび放出バネ４５Ｃと一体に形成されたバネ４５を備えた、唯一の実施形態が記載されている。
【００２６】
カートリッジ６０の背面構造には、バネ４５のスナップ式取付部４５Ａに接触され得るホルダ６５が設けられている。ホルダ６５は、図５ｂおよび図５ｃに見られているように、刃に向かって配向された一対の小さいフックとして形成されているが、単一のフックのような他の形態とすることも可能である。
【００２７】
カートリッジ６０が挿入されると、ホルダ６５はバネ４５のスナップ式取付部４５Ａに接触し、バネ４５のスナップ式取付部４５Ａはホルダ６５によって保持され、これによりカートリッジ６０はシェーバヘッド４０内のシートに維持される。
【００２８】
バネ４５はその保持部４５Ｄによって、およびシェーバヘッドの保持部４６Ａによって、シェーバヘッド４０の底壁４６に取り付けられている。保持部４６Ａは、例えばネジ、ボルト、またはそれらのようなものとし得る。したがって、バネ４５は恒久的にシェーバヘッド４０に取り付けられている。バネ４５は好適に金属製であり、したがって、弾性を有し、容易に破壊されないが、プラスチックまたは弾性を有する材料のような、他の任意の適切な材料から形成され得る。
【００２９】
カートリッジ６０がシェーバヘッド４０内に挿入されると、カートリッジ６０はシェーバヘッド４０に対して、好適にまったく移動しなくなる。シェーバヘッド４０はハンドル２０に回転可能の取り付けられており、好適に回転手段２２、４１はシェーバヘッド４０およびハンドル２０に設けられているが、カートリッジ６０には設けられていない。
【００３０】
シェーバヘッド４０に設けられたバネ４５およびカートリッジ６０に設けられたホルダ６５を使用した前述の機構は、いくつかの利点をもたらしている。唯一の交換部品はカートリッジ６０であり、カートリッジ自身は（回転手段およびそれに類似した）任意の負荷的特徴を保持していない。したがって、カートリッジ６０の値段は下げられ、その製造工程は簡素化され、シェーバヘッド４０およびハンドル２０が交換されないので、それらはより頑丈なものとして製造されて、一方で妥当な値段を維持し得る。特に、シェーバヘッド４０の回転取付部をハンドル２０に固定するために設けられた手段は、より信頼性の高いものとされ得る。さらに、スナップ式取付機構は、製造および動作の両方が容易である。シェーバヘッド４０およびカートリッジ６０にはガイドトラック４２Ａおよび６２Ａがそれぞれ設けられているので、カートリッジ６０のシェーバヘッド４０への挿入は簡素化され、カートリッジ６０の誤挿入の危険性は低下されている。カートリッジ６０の簡素化されたデザインは、カートリッジ６０が減少された量の水で洗浄され得るので、持続性に関してさらなる利点となり得る。
【００３１】
カートリッジ６０がシェーバヘッド４０に取り付けられた場合、バネのウィング４５Ｃはカートリッジ６０によって圧縮される。したがって、曲げられたウィング４５Ｃの端部４５Ｅは、シェーバヘッド４０の底壁４６の損傷を回避するように、好適に短くなっている。
【００３２】
シェーバヘッド４０に隣接したハンドル２０の頂部には、ボタン３０も設けられている（図７ａ〜図７ｃ参照）。ボタン３０は、前端３０Ａおよび後端３０Ｂを備えている。ボタン３０は、ハンドル２０の長手方向に全体的に平行な方向においてスライド可能である。ボタン３０のスライドを確実にするために、二対のガイド３４および３７が、ハンドル２０に隣接したボタン３０の部分に設けられている。ガイド３４、３７は、ハンドル２０の前部に設けられたガイド経路２７Ａ、２７Ｂに接触し、好適にガイド３４、３７には湾曲下部３４Ａ、３７Ａが設けられており、ガイドが個々のガイド経路２７Ａ、２７Ｂから外れないことを確実にしている。このようにして、ガイド３４、３７は、ガイド経路２７Ａ、２７Ｂと協働した場合、ハンドル２０の長さ方向に全体的に平行な方向におけるボタン３０のスライドに寄与し、ボタン３０が他の場所へ移動することを防止し、且つボタン３０がハンドル２０から外れることも防止している。
【００３３】
ボタン３０は、ボタン３０の頂部に設けられた指受領域３２を具備している。図７ａに見られているように、指受領域３２は、使用者の指が滑ることを防止することを補助する特徴が備わっていてもよい。使用者が使用者の指でボタン３０を触ると、使用者はボタン３０をシェーバヘッド４０に向かった方向に押し得る。ボタン３０をその初期位置に戻すために、ボタン３０にはコイル台３５が設けられ、このコイル台はボタン３０の後端３０Ｂに、ハンドル２０に隣接して配置されている。コイル台３５はコイルバネ３６と協働する。ボタン３０が使用者によって押された場合、コイルバネ３６は圧縮され、ボタン３０が開放されると、コイルバネ３６はボタン３０をその原位置に戻す。
【００３４】
ボタン３０はプッシャ３１をさらに具備している。プッシャ３１は、シェーバヘッド４０に隣接した、ボタン前端３０Ａに配置されている。プッシャ３１は、シェーバヘッド４０の方向にボタン３０から延びた突起の形である。好適に、プッシャ３１の突起は、カムフォロア２４の二股の端部の２つの枝部の間に配置されており、突起は、カムフォロア２４のための台４３Ａの間に配置されたバネ４５の弾性本体４５Ｂに容易に到達し得る。このようにして、カムフォロア２４およびプッシャ３１は干渉しない。
【００３５】
使用者がカートリッジ６０の交換を望んだ場合、使用者はボタン３０を押し、カートリッジ６０が外される。より詳細には、プッシャ３１は、バネ４５の弾性本体４５ＢのＣ字状部を押す。次いで、バネ４５の弾性本体４５Ｂは、それによりバネ４５のスナップ式取付部４５Ａをホルダ６５から解放し、バネ４５はカートリッジ６０を所定の位置に保持しなくなる。さらに、バネ４５のウィング４５Ｃは、カートリッジ６０によって圧縮され、その初期位置に戻ろうとする。バネ４５のウィング４５Ｃは、カートリッジ６０をそのシートから離し、カートリッジ６０が取り出される。このようにして、使用者は使用者の指でカートリッジ６０に触れる必要が無く、それにより刃６３によって使用者の指を切る危険性が減少されている。
【００３６】
さらに、図７ｂおよび図７ｃに見られているように、ボタン３０は一対の保護手段３３を具備している。保護手段３３は、全体的にボタン３０から下向きに突出したピン形状である。ハンドルは、これらの保護手段３３をハンドル２０内において湾曲した溝２６内に受容するように形成されている。保護手段３３は溝２６内において前後にスライド可能であり、所定の溝の形状において、それらはヨーク２１が突発的に一体となって近接するように移動することを防止している。ヨーク２１が一体となって近接するように移動されることが可能でない場合、全体としてヨークがシェーバヘッドを突発的に開放する危険性は減少され、したがって使用者が負傷する危険性を減少している。
【符号の説明】
【００３７】
２０  ・・・ハンドル
２１  ・・・ヨーク
２２  ・・・シェルベアリング
２３  ・・・ギャップ
２４  ・・・カムフォロア
２６  ・・・溝
３０  ・・・ボタン
３１  ・・・プッシャ
３２  ・・・指受領域
３３  ・・・保護手段
３４、３７  ・・・ガイド
３５  ・・・コイル台
３６  ・・・コイルバネ
４０  ・・・シェーバヘッド
４１  ・・・凹部
４２  ・・・側壁
４２Ａ  ・・・ガイドトラック
４３  ・・・背面壁
４４  ・・・前壁
４５  ・・・バネ
４５Ａ  ・・・取付要素
４５Ｂ  ・・・弾性本体
４５Ｃ  ・・・放出バネ
４６  ・・・底壁
６０  ・・・カートリッジ
６１  ・・・頂壁
６１Ａ  ・・・シェービング補助剤
６２  ・・・側壁
６２Ａ  ・・・ガイドトラック
６３  ・・・刃
６３Ａ  ・・・刃支持部
６３Ｂ  ・・・シート
６４  ・・・弾性指
６５  ・・・ホルダ
６７  ・・・底壁
【図１ａ】
2016500313.tif 000003
【図１ｂ】
2016500313.tif 000004
【図１ｃ】
2016500313.tif 000005
【図２ａ】
2016500313.tif 000006
【図２ｂ】
2016500313.tif 000007
【図３】
2016500313.tif 000008
【図４ａ】
2016500313.tif 000009
【図４ｂ】
2016500313.tif 000010
【図５ａ】
2016500313.tif 000011
【図５ｂ】
2016500313.tif 000012
【図６ａ】
2016500313.tif 000013
【図６ｂ】
2016500313.tif 000014
【図６ｃ】
2016500313.tif 000015
【図７ａ】
2016500313.tif 000016
【図７ｂ】
2016500313.tif 000017
【図７ｃ】
2016500313.tif 000018
【国際調査報告】
2016500313.tif 000019
2016500313.tif 000020
2016500313.tif 000021
2016500313.tif 000022
2016500313.tif 000023